(57)【特許請求の範囲】
【請求項１】
フロアカーペットに固定され、前記フロアカーペットから切欠して形成されたフロアカーペットのめくれ防止片であって、
前記フロアカーペットに切り込まれた第１の切込みと、
前記第１の切込みの一方の端部から略直角に切り込んだ第２の切込みと、
前記一方の端部から前記第１の切込みに沿って所定長離れた箇所から、前記第２の切込みと略平行に切り込まれ、切込み長さの半分より前記第１の切込み側に切り残し部を有する第３の切込みと、
前記第１の切込みから前記切り残し部までの長さの２倍より遠い位置で前記第２の切込みと前記第３の切込みの両方を切る第４の切込みによって形成された舌片が、
前記切り残し部を対称中心として点対称の位置に捻転され、
前記舌片と前記フロアカーペットとの重複部分であって、かつ前記第１の切込みより前記切り残し部側の部分を、前記フロアカーペット裏面と固着して形成されたことを特徴とするフロアカーペットのめくれ防止片。
【請求項２】
前記第１の切込みを前記フロアカーペットの１の縁に置き換えた事を特徴とする請求項１に記載されたフロアカーペットのめくれ防止片。
【請求項３】
前記第２の切込みを前記１の縁と異なる縁で置き換えた事を特徴とする請求項２に記載されたフロアカーペットのめくれ防止片。
【発明の詳細な説明】
【技術分野】
【０００１】
本発明は、車両の床に配置されるフロアカーペットに、フロアパネルに直接部品を締結するために、切り欠き部分を設けた際の切り欠き部分のめくれ防止手段に関するものであり、より詳細には、切り欠き部分に形成するめくれ防止片に関する。
【背景技術】
【０００２】
車両の床には、フロアパネルの表面にフロアカーペットを配置し、居住性を高める工夫がされている。しかし、車内にはシート固定のためのブラケットといったフロアパネルに直接締結される部材が存在する。したがって、フロアカーペットはこれらの部材を回避しながら載置される。
【０００３】
このためには、フロアカーペットの一部を切断し穴をあける必要がある。しかし、フロアパネルに直接締結される部分だけ穴を形成するのは、手間がかかりコストの上昇に繋がる。そこで、フロアカーペットに切込みを入れ、その切込みを通して部材を配置させることが行われる。
【０００４】
また、フロアカーペットを載置する前にフロアパネルに部材を締結した場合は、フロアカーペットの縁から切込みを入れ、フロアパネルに締結された部分を回避しながらフロアカーペットを載置する必要がある。
【０００５】
このようにできるだけコストを低く、また工程を簡便に行う結果、フロアカーペットには切込みが残り、時間が経過するとカーペットがめくれてくるという問題が生じる。この問題に対して、従来より、以下のような、フロアカーペットのめくれ防止片が知られている。
【０００６】
図４を参照して、特許文献１には、自動車のフロアパネル上面に敷設されるフロアカーペット１０５にフロアカーペット１０５の一部がめくれるように切断して切り起こし部１０７を形成し、この切り起こし部１０７をめくって自動車部品をフロアパネルに取り付けるようにした自動車のフロアカーペット１０５において、上記切り起こし部１０７の切断部分の縁部に沿って凹条１０６を形成し、該凹条１０６に沿って切り溝１０８を形成したことを特徴とする自動車のフロアカーペット１０５が開示されている。なお、符号１０９は切り欠き部である。
【０００７】
特許文献１によると、このように凹条１０６等を形成することによって、フロアカーペット１０５の面剛性が向上し、切り起こし部１０７のめくれを防止することができるとされている。
【０００８】
また、図５を参照して、フロアカーペット２０１にめくれ防止用のめくれ防止部材２０２を取付けて、車体や、デッキサイド等のガーニッシュ２０３に固定して、フロアカーペット２０１のめくれを防ぐ方法が知られている。
【０００９】
また、図６を参照して、開口３０２とスリット３０３とを備えたフロアカーペット３０１を車体に取付け、スリット３０３を開き、車載部材が開口３０２から出るように設置し、再度スリット３０３を閉じ、フロアカーペット３０１の末端とスリット３０３の一部とをガーニッシュ３０４で押さえつけて、フロアカーペット３０１のめくれを防ぐ方法も知られている。
【先行技術文献】
【特許文献】
【００１０】
【特許文献１】特許３２９６０５４号公報
【発明の概要】
【発明が解決しようとする課題】
【００１１】
しかしながら、特許文献１に開示された発明では、自動車のフロアカーペット１０５に、切り起こし部１０７の切断部分の縁部に沿って凹条１０６を形成し、該凹条１０６に沿って切り溝１０８を形成するので、複雑な形状となり、見栄えの悪化および加工精度が要求されるといった問題があった。
【００１２】
また、図５に示した場合においても、めくれ防止用のめくれ防止部材２０２が必要となり、特許文献１の発明同様、製造工程数および部材コストが増加する問題があった。
【００１３】
また、図６に示した場合によれば、フロアカーペット３０１の末端とスリット３０３の一部とをガーニッシュ３０４で押さえつけて、フロアカーペット３０１のめくれを防いでいるので、ガーニッシュ３０４を設置する前にしか、フロアカーペット３０１を車体に取付ることができないので、フロアカーペット３０１の自動車への取付順序が制約される。
【００１４】
また、車を解体する際に、フロアカーペットは簡便に取り去ることができる事も、求められるため、フロアカーペットはフロアパネルに接着しない。すなわち、フロアパネルと接着しなくてもめくれが防止できることが必要である。
【００１５】
そこで、本発明は、フロアカーペットに複雑な加工を必要とせず、製造工程数および部材コストが減少でき、さらに自動車への取付順序が制約されず、また解体時も簡便に取り去ることのできる、フロアカーペットのめくれ防止片を提供することを目的とする。
【課題を解決するための手段】
【００１６】
課題解決のため、本発明のフロアカーペットのめくれ防止片は、フロアカーペットに固定され、前記フロアカーペットから切欠して形成されたフロアカーペットのめくれ防止片であって、
前記フロアカーペットに切り込まれた第１の切込みと、
前記第１の切込みの一方の端部から略直角に切り込んだ第２の切込みと、
前記一方の端部から前記第１の切込みに沿って所定長離れた箇所から、前記第２の切込みと略平行に切り込まれ、切込み長さの半分より前記第１の切込み側に切り残し部を有する第３の切込みと、
前記第１の切込みから前記切り残し部までの長さの２倍より遠い位置で前記第２の切込みと前記第３の切込みの両方を切る第４の切込みによって形成された舌片が、
前記切り残し部を対称中心として点対称の位置に捻転され、
前記舌片と前記フロアカーペットとの重複部分であって、かつ前記第１の切込みより前記切り残し部側の部分を、前記フロアカーペット裏面と固着して形成されたことを特徴とする。
【発明の効果】
【００１７】
本発明のめくれ防止片によれば、フロアカーペットに複雑な加工をしなくても、フロアカーペットにめくれ防止を施すことができる。また、完全に打ち抜いて別体となった片をフロアカーペット裏面から固定するのではなく、元々のフロアカーペットに連結部分を残した状態でめくれ防止片を形成するので、片となる専用部材が不要で、製造時に廃材が飛散せず、また環境汚染も減らすことができる。また、必ず切欠させた部分にめくれ防止片が形成されるので、めくれ防止を施す部分を形成する精度が向上する。
【００１８】
以上のことから、本発明のめくれ防止片を用いれば、製造工程数を低減でき、部材コストや廃材の廃棄コスト等を削減できるため、製造コストの削減に効果を奏する。
【図面の簡単な説明】
【００１９】
【図１】第１の実施形態における本発明のめくれ防止片の有無の違いを示す図である。
【図２】第１の実施形態におけるめくれ防止片の形成方法を示す図である。
【図３】第２および第３の実施形態におけるめくれ防止片を示す図である。
【図４】従来例のフロアカーペットのめくれ防止片の斜視図である。
【図５】別の従来例のフロアカーペットのめくれ防止片の斜視図である。
【図６】別の従来例のフロアカーペットのめくれ防止片の斜視図である。
【発明を実施するための形態】
【００２０】
（実施の形態１）
以下、図面を参照しながら、本発明の実施形態について説明する。まず、図１（ａ）にはフロアパネル上にフロアカーペット１が敷かれた後にＬ字ブラケット５０をフロアパネルに固定した場合について示す。まず、フロアカーペット１はフロアパネル上に配置されている。フロアパネルに、シート設置のためのＬ字ブラケット５０を固定しようとすると、フロアカーペット１に穴部を開ける必要がある。車内意匠の観点からは、この穴部はできるだけＬ字ブラケット５０の断面積に等しくし、フロアパネルが直接見えないようにしたい。
【００２１】
しかし、Ｌ字ブラケット５０の締結には、ある程度の広さが必要なので、フロアカーペット１には、Ｌ字の切込みを入れ、その端をめくって設置スペースを確保する。その後Ｌ字ブラケット５０の立壁部分５０ａが出る程度の穴部が残るようにフロアカーペット１の切り取りを行う。図１はこのようにしてＬ字ブラケット５０を締結した結果の図である。
【００２２】
ここで、フロアカーペット１の穴部８を切り取ったフロアカーペットの端２はその端を形成する２辺が切込みで形成されているので、経時的にめくれるおそれがある。
【００２３】
図１（ｂ）には、本発明のめくれ防止片１０を形成したフロアカーペット１の場合を示す。本発明のめくれ防止片１０は、Ｌ字ブラケット５０の立壁部５０ａを出すために切り取った穴部８のカーペット生地で形成され、穴部８を切り取ったフロアカーペットの端２に固定され、最初の切込みを超えてフロアカーペット生地の下に舌片３を配置する。そのため、舌片３を下に配置されたフロアカーペット生地が舌片３を押さえるので、穴部８を切り取ったカーペットの端２はめくれることがない。
【００２４】
次に図２を参照して、本発明のめくれ防止片１０をフロアカーペット１に形成する方法を説明する。フロアカーペット１には、部材を固定したい場所付近に第１の切込み１１を入れる。次に第１の切込み１１の一方の端部１１ａから略直角方向に第２の切込み１２を入れる。すなわち、この時点でフロアカーペット１にはＬ字の切込みが入る。第１の切込み１１から見て第２の切込み１２が入れられた側を舌片形成側２０、その反対側を舌片配置側２１と呼ぶ。
【００２５】
次に一方の端部１１ａから第１の切込み１１に沿って、所定長離れた箇所１１ｂから、第３の切込み１３を入れる。この第３の切込み１３は第２の切込み１２とほぼ平行で、第２の切込み１２とほぼ同じ長さ分だけ切込む。また、この第３の切込み１３には、切込みの途中で切り残し部１３ａを設ける。この切り残し部１３ａは、第３の切込み１３の全長の半分より第１の切込み１１側に設ける。
【００２６】
そして第１の切込み１１から前記切り残し部１３ａまでの長さの２倍より遠い位置１３ｂで第２の切込み１２と第３の切込み１３の両方を切る第４の切込み１４を入れる。これは言い換えると、切り残し部１３ａが第３の切込み１３の全長の半分より第１の切込み１１側になる程度に、第１の切込み１１から離れた箇所で、第４の切込み１４を入れるということである。なお、第４の切込み１４は、第１の切込み１１と略平行に形成するのが容易であるが、特に平行でなくてもよい。
【００２７】
以上の作業によって、フロアカーペット１には第１の切込み１１と第２の切込み１２で形成されるＬ字の開口ができ、端部３ａをめくることでフロアパネルを露出させることができる。
【００２８】
また、第１乃至第４の切込みで形成され、切り残し部１３ａでフロアカーペット１に接続された舌片３が形成される。次にこの舌片３を切り残し部１３ａを対称中心として点対称の位置に捻転する。具体的には、１例として線対称となる折り曲げを２回行うことで点対称の位置に捻転する方法を示す。
【００２９】
図２（ｂ）には、最初の折り曲げを示す。切り残し部１３ａを線対称の対称軸の一端として、舌片３を１８０度折り曲げる。より具体的には、舌片３の第４の切込み１４の側をフロアカーペット１の裏側から回り、第１の切込み１１を超えて舌片配置側２１のフロアカーペット１の裏面に回動させる。したがって、穴部８に見える舌片３の一部３Ｔはフロアカーペット１の裏面が見えている。
【００３０】
図２（ｃ）を参照して、次に最初の折り曲げ方向と直角方向に、舌片３を折り曲げる。したがって、この時、切り残し部１３ａは対称軸の中ほどの一部となる。
【００３１】
この２回の折り曲げによって舌片３は切り残し部１３ａを対称点とした点対称の位置に捻転される。この結果、舌片３のあった位置には、穴部８が形成される。また、舌片配置側２１で見ると、舌片３の上面はもともとのフロアカーペット１の表面となっている。
【００３２】
最後に舌片形成側２０のフロアカーペット１と舌片３の上面が重なっている部分（「重複部分」と呼ぶ。）５を接着剤や溶着等の手段により固着させる。以上のようにして形成された舌片３によって、舌片形成側２０から一部を突出させて、舌片形成側２０のフロアカーペット裏面に重複部分５で固着された、めくれ防止片１０が完成する。このめくれ防止片１０を舌片配置側２１のフロアカーペット１の裏面に配置し、めくれ防止片１０の上から舌片配置側２１のフロアカーペット１を載せれば、舌片形成側２０に存在する穴部８を切り取ったフロアカーペットの端２は固定されためくれ防止片１０が舌片配置側２１のフロアカーペット１に押さえられることでめくれることがない。
【００３３】
また、フロアカーペット１の舌片配置側２１とめくれ防止片１０および、舌片配置側２１と舌片形成側２０はともに固着されていないので、解体する際には容易にめくることができる。
【００３４】
本発明のめくれ防止片１０は、フロアカーペット１への第１乃至第４の切込みと、第３の切込み１３中に設けた切り残し部１３ａの位置で大きさおよび長さを調整することができる。すなわち、めくれ防止片１０の幅と長さは容易に設定することができる。例えば、めくれ防止片１０の幅１０ａは、第２の切込み１２と第３の切込み１３の幅で決めることができる。また、めくれ防止片１０の長さ１０ｂは、第２および第３の切込み（１２および１３）の長さと、切り残し部１３ａの位置とで決めることができる。
【００３５】
めくれ防止片１０は、舌片形成側２０から舌片配置側２１に飛び出して形成されなければならないので、少なくとも、切り残し部１３ａは、第３の切込み１３の長さの半分より第１の切込み１１側に設定しなければならない。
【００３６】
また、切り残し部１３ａは、舌片３を捻転でき、かつ破損しない強度を有するように、フロアカーペット１を切欠して形成する。具体的には、切り残し部１３ａの長さは１〜２ｍｍであることが好適である。
【００３７】
また、第１の切込み１１は、フロアカーペット１のどの位置からでもよく、例えば、フロアカーペット１の縁の１つから入れてもよい。もちろん、フロアカーペット１の縁でない部分に施してもよい。また、第１乃至第４の切込みは直線であることが望ましいが、直線以外の曲線を用いてもよい。
【００３８】
（実施の形態２）
図３（ａ）に本実施の形態のめくれ防止片１０Ｗを示す。実施の形態１では、本発明のめくれ防止片を第１乃至第４の切込みで形成したが、本実施の形態では、第１の切込みをフロアカーペット１の縁の１つ（１ａ）で置き換える。すなわち、フロアカーペット１には１つの縁１ａから、第２乃至第４の切込み（１２乃至１４）を行うが、実施の形態１同様めくれ防止片１０Ｗを舌片配置側２１Ｅに形成することができる。なお、本実施の形態では、第１の切込みをフロアカーペット１の縁１ａで置き換えたので、舌片配置側２１Ｅは、フロアカーペット１の外になる。
【００３９】
本実施の形態の場合、めくれ防止片１０Ｗは、フロアカーペット１の縁１ａから突出して形成することができる。したがって、ガーニッシュなどに近接する箇所で、フロアカーペット１の縁に部材を配置する際には、縁に本実施の形態のめくれ防止片１０Ｗを形成し、ガーニッシュでめくれ防止片１０Ｗを押さえる事で、フロアカーペット１を固定することができる。
【００４０】
また、本発明のめくれ防止片１０Ｗはフロアカーペット１から切り出した舌片３を２回の対称回転をさせているので、舌片配置側２１Ｅに突出するめくれ防止片１０Ｗの上面１０ｃはフロアカーペットの上面（シボ面）なので、見栄えがよい。
【００４１】
（実施の形態３）
図３（ｂ）に本実施の形態のめくれ防止片１０Ｖを示す。本実施の形態では、第１の切込みに加え、第２の切込みもフロアカーペットの縁１ｂで置き換える。すなわち、フロアカーペット１には第３および第４の切込み（１３と１４）を行うだけである。本実施の形態では、フロアカーペット１の角部分に穴部８（切り欠き部）が形成されるので、フロアパネルの隅に部材が配置され、フロアカーペット１がそれを回避する場合は、好適に利用できる。
【００４２】
なお、実施の形態２も含めて、フロアカーペット１を切り取って形成した舌片３は、そのままの大きさで使用しなくてもよい。より具体的には、形成した舌片３を所望の大きさ、若しくは形状に切って利用してもよい。
【００４３】
今回開示された実施の形態および実施例は、例示的なものであって制限的なものではない。本発明の範囲は、特許請求の範囲とそれと均等の範囲であることが意図される。
【産業上の利用可能性】
【００４４】
本発明は、フロアカーペットを配置した車両において有用であるばかりでなく、カーペットに切り欠きを入れ、カーペットの下側からカーペット表側に部材を貫設する際に、カーペット周囲のめくれを防止する必要がある場面に有効に利用することができる。
【符号の説明】
【００４５】
１  フロアカーペット
１ａ  フロアカーペットの縁
１ｂ  フロアカーペットの他の縁
２  穴部を切り取ったフロアカーペットの端
３  舌片
３ａ  端部
３Ｔ  舌片の一部
５  重複部分
８  穴部
１０、１０Ｗ、１０Ｖ  めくれ防止片
１１  第１の切込み
１１ａ  第１の切込みの一方の端部
１２  第２の切込み
１３  第３の切込み
１３ａ  切り残し部
１４  第４の切込み
２０  舌片形成側
２１  舌片配置側
５０  Ｌ字ブラケット
１０５  フロアカーペット
１０６  凹条
１０７  切り起こし部
１０８  切り溝
１０９  切り欠き部
２０１  フロアカーペット
２０２  めくれ防止部材
２０３  ガーニッシュ
３０１  フロアカーペット
３０２  開口
３０３  スリット
３０４  ガーニッシュ
【図１】
0005562198.tif 000002
【図２】
0005562198.tif 000003
【図３】
0005562198.tif 000004
【図４】
0005562198.tif 000005
【図５】
0005562198.tif 000006
【図６】
0005562198.tif 000007